(57)【特許請求の範囲】
【請求項１】
偏光板と、上記偏光板を固定する枠を具備する枠体と、上記枠体から突出している突起部と、上記突起部に設けられている穴とを具備する偏光板固定具を支持する支持体と；
上記支持体に設けられ、上記穴を挿通するピンと；
上記支持体に設けられ、上記偏光板固定具に設けられている突起を押圧することによって、上記偏光板を回転させる第１のねじと；
上記支持体に設けられ、上記偏光板固定具に設けられている突起を押圧することによって、上記偏光板を回転させる第２のねじと；
を有し、上記偏光板の中心と上記穴の中心とを結ぶ直線に関して、上記第１のねじと上記第２のねじとが、同一の側に設けられていることを特徴とする偏光板の角度制御装置。
【請求項２】
請求項１において、
上記第１のねじは、上記偏光板固定具に設けられている突起を押圧することによって、上記偏光板を時計方向に回転させるねじであり、
上記第２のねじは、上記偏光板固定具に設けられている突起を押圧することによって、上記偏光板を反時計方向に回転させるねじであることを特徴とする偏光板の角度制御装置。
【請求項３】
請求項１において、
上記第１のねじと上記第２のねじとが、互いに平行に設けられていることを特徴とする偏光板の角度制御装置。
【発明の詳細な説明】
【技術分野】
【０００１】
本発明は、偏光板の角度制御装置に関する。
【背景技術】
【０００２】
従来の液晶プロジェクタとして、その光路中に、偏光板が設けられているものがあり、プロジェクタ製造時に、上記偏光板の傾きを調整する必要があり、このために、偏光板の角度制御装置が、プロジェクト内に設けられている。
【０００３】
図４は、従来の偏光板の角度制御装置２００を示す斜視図である。
【０００４】
従来の偏光板の角度制御装置２００は、偏光板固定具６０と、プロジェクタの筐体７０とを有する。
【０００５】
偏光板固定具６０は、偏光板６１と、偏光板６１を固定する円板状の枠体６２と、枠体６２から突出している突起６３とを有する。
【０００６】
筐体７０には、突部７２、７３が設けられ、これら突部７２、７３にそれぞれ、ねじ穴が設けられている。このねじ穴と、これらねじ穴に螺合するねじとによって、マイクロメータＭ１、Ｍ２が構成されている。マイクロメータＭ１、Ｍ２の先端が、偏光板固定具６０の突起６３を、図４中、左右から押し合っている（たとえば、参考文献１参照）。
【０００７】
従来の偏光板の角度制御装置２００において、偏光板固定具６０を数度、左右に傾けることによって、偏光板６１を最適な傾きに制御する。たとえば、偏光板固定具６０を時計方向に傾けるには、マイクロメータＭ２を少し引き抜き、マイクロメータＭ１を少し押し出す。偏光板６１の傾きがまだ最適でなければ、マイクロメータＭ２を再び少し引き抜き、マイクロメータＭ１を再び少し押し出す。この動作を繰り返し、偏光板６１の傾きが最適になれば、その位置で、マイクロメータＭ２の回転を停止し、マイクロメータＭ１を押し込み、偏光板固定具６０の傾斜角度を固定する。
【０００８】
偏光板固定具６０を反時計方向に傾けるには、上記とは逆に、マイクロメータＭ１を少し引き抜き、マイクロメータＭ２を少し押し出し、この動作を、偏光板６１の傾きが最適になるまで繰り返し、偏光板６１の傾きが最適になれば、その位置で、マイクロメータＭ１の回転を停止し、マイクロメータＭ２を押し込み、偏光板固定具６０の傾斜角度を固定する。
【特許文献１】特開２００２−１２２８３９公報
【発明の開示】
【発明が解決しようとする課題】
【０００９】
ところで、プロジェクタにおいて、偏光板６１を組み込むために、偏光板固定具６０を、プロジェクタに挿入する場合、プロジェクタ全体の形状を小さくするように設計すると、偏光板固定具６０を挿入するスペースが極めて狭くなることが一般的である。
【００１０】
また、従来の偏光板の方向制御装置２００は、偏光板の角度制御する場合、角度制御装置２００の左側から作業者が手を伸ばし、マイクロメータＭ１を回し、また、角度制御装置２００の右側から作業者が手を伸ばし、マイクロメータＭ２を回す必要がある。上記のように、偏光板固定具６０を挿入するスペースが極めて狭いので、マイクロメータＭ１、Ｍ２まで手を伸ばし、マイクロメータＭ１、Ｍ２を回す作業が容易ではないという問題がある。さらに、マイクロメータＭ１と、Ｍ２とが、偏光板固定具６０の突起６３の、互いに逆方向に設けられているので、２箇所で、マイクロメータを調整する必要があり、その調整作業が煩雑であるという問題がある。
【００１１】
本発明は、偏光板の角度調整作業が容易である偏光板の角度制御装置を提供することを目的とするものである。
【課題を解決するための手段】
【００１２】
本発明は、偏光板と、上記偏光板を固定する枠を具備する枠体と、上記枠体から突出している突起部と、上記突起部に設けられている穴とを具備する偏光板固定具を支持する支持体と、上記支持体に設けられ、上記穴を挿通するピンと、上記支持体に設けられ、上記偏光板固定具に設けられている突起を押圧することによって、上記偏光板を回転させる第１のねじと、上記支持体に設けられ、上記偏光板固定具に設けられている突起を押圧することによって、上記偏光板を回転させる第２のねじとを有し、上記偏光板の中心と上記穴の中心とを結ぶ直線に関して、上記第１のねじと上記第２のねじとが、同一の側に設けられていることを特徴とする偏光板の角度制御装置である。
【発明の効果】
【００１３】
本発明によれば、偏光板の角度を調整するためのねじが、同一方向に設けられているので、偏光板の角度調整作業が容易であるという効果を奏する。
【発明を実施するための最良の形態】
【００１４】
発明を実施するための最良の形態は、以下の実施例である。
【実施例１】
【００１５】
図１は、本発明の実施例１である偏光板固定具１０を示す図である。
【００１６】
偏光板固定具１０は、偏光板１１と、枠体１２と、突起部１３と、穴１４とを有する。
【００１７】
偏光板１１は、通常の偏光板である。枠体１２は、偏光板１１を固定する枠を具備する枠体である。突起部１３は、枠体１２から突出している突起である。穴１４は、突起部１３に設けられている穴である。なお、ピン２３は、後述の支持体２０に設けられているピンであり、偏光板固定具１０を回転させる場合における回転中心である。
【実施例２】
【００１８】
図２は、本発明の実施例２である偏光板の角度制御装置１００を示す斜視図である。
【００１９】
角度制御装置１００は、支持体２０と、ピン２３と、第１のねじＮ１と、第２のねじＮ２とを有する。
【００２０】
支持体２０は、偏光板固定具１０を支持する柱状の支持体であり、凹部２１と、凸部２２と、ピン２３と、ねじ穴Ｈ１、Ｈ２とを有し、台３０に載置されている。
【００２１】
凹部２１は、支持体２０の上部に設けられ、凸部２２の下部に設けられている。
【００２２】
ピン２３は、支持体２０の凸部２２に設けられ、偏光板固定具１０の突起１３に設けられている穴１４を挿通するピンである。
【００２３】
第１のねじＮ１は、支持体２０の凸部２２に設けられ、偏光板固定具１０に設けられている突起１３を押圧することによって、偏光板１１を回転させるねじである。
【００２４】
第２のねじＮ２は、支持体２０の凸部２２に設けられ、偏光板固定具１０に設けられている突起１３を押圧することによって、偏光板１１を、第１のねじＮ１による回転とは逆方向に回転させるねじである。
【００２５】
そして、偏光板１１の中心と穴１４の中心とを結ぶ直線に関して、第１のねじＮ１と第２のねじＮ２とが、同一の側に設けられている。
【００２６】
また、第１のねじＮ１は、偏光板固定具１０に設けられている突起１３を押圧することによって、偏光板１１を反時計方向に回転させるねじである。第２のねじＮ２は、偏光板固定具１０に設けられている突起１３を押圧することによって、偏光板１１を時計方向に回転させるねじである。
【００２７】
さらに、第１のねじＮ１と、第２のねじＮ２とが、互いに平行に設けられている。
【００２８】
次に、上記実施例の動作について説明する。
【００２９】
図３は、上記実施例において、偏光板１１の角度を調整する動作の説明図である。
【００３０】
図３（１）は、偏光板１１がほぼ、水平に設定されている状態を示す図である。つまり、図３（１）に示す状態は、偏光反１１の中心と穴１４の中心とを結ぶ直線が、ほぼ水平である状態である。図３（２）は、図３（１）に示す状態から、偏光板１１を反時計方向に回転させた状態を示す図である。図３（２）は、図３（１）に示す状態から、偏光板１１を時計方向に回転させた状態を示す図である。
【００３１】
図３（１）に示す状態から、図３（２）に示すように、偏光板１１を反時計方向に回転させるには、ねじＮ２を緩め、その先端を図３中、上方に引き上げ、その後に、ねじＮ１を締め、その先端を図３中、下方に進める。偏光板１１の角度を調整する場合、ねじＮ２を緩める程度とねじＮ１を締める程度とを調整すればよい。偏光板１１の角度が所望の角度に達すれば、ねじＮ１を締めつけ、上記所望の角度を固定する。
【００３２】
図３（１）に示す状態から、逆に、図３（３）に示すように、偏光板１１を時計方向に回転させるには、ねじＮ１を緩め、その先端を図３中、上方に引き上げ、その後に、ねじＮ２を締め、その先端を図３中、下方に進める。偏光板１１の角度が所望の角度に達すれば、ねじＮ２を締めつけ、上記所望の角度を固定する。
【００３３】
上記実施例によれば、偏光板１１の角度を調整する場合、ねじＮ１、Ｎ２を同一方向から調整すれば足りるので、ねじＮ１、Ｎ２を回す作業が容易であり、結局、偏光板１１の角度を調整する作業が容易である。
【００３４】
また、上記実施例によれば、マイクロメータ等を使用する場合には、マイクロメータを収容するためのスペース、特に、偏光板固定具１０に対応する偏光板固定具が厚くなるが、上記実施例は、マイクロメータに代えて、ねじＮ１、Ｎ２を使用するので、偏光板固定具１０の厚みを薄くすることができ、したがって、偏光板の角度制御装置１００を収納するプロジェクタ等の装置の形状を小型にすることができる。
【００３５】
つまり、上記実施例は、偏光板と、上記偏光板を固定する枠を具備する枠体と、上記枠体から突出している突起部と、上記突起部に設けられている穴とを有する偏光板固定具の例である。
【００３６】
また、上記実施例は、偏光板と、上記偏光板を固定する枠を具備する枠体と、上記枠体から突出している突起部と、上記突起部に設けられている穴とを具備する偏光板固定具を支持する支持体と、上記支持体に設けられ、上記穴を挿通するピンと、上記支持体に設けられ、上記偏光板固定具に設けられている突起を押圧することによって、上記偏光板を回転させる第１のねじと、上記支持体に設けられ、上記偏光板固定具に設けられている突起を押圧することによって、上記偏光板を回転させる第２のねじとを有し、上記偏光板の中心と上記穴の中心とを結ぶ直線に関して、上記第１のねじと上記第２のねじとが、同一の側に設けられている偏光板の角度制御装置。
【００３７】
この場合、上記第１のねじは、上記偏光板固定具に設けられている突起を押圧することによって、上記偏光板を時計方向に回転させるねじであり、上記第２のねじは、上記偏光板固定具に設けられている突起を押圧することによって、上記偏光板を反時計方向に回転させるねじである。また、上記第１のねじと上記第２のねじとが、互いに平行に設けられている。
【図面の簡単な説明】
【００３８】
【図１】従来の偏光板の角度制御装置２００を示す斜視図である。
【図２】本発明の実施例１である偏光板固定具１０を示す図である。
【図３】本発明の実施例２である偏光板の角度制御装置１００を示す斜視図である。
【図４】上記実施例において、偏光板１１の角度を調整する動作の説明図である。
【符号の説明】
【００３９】
１００…偏光板の角度制御装置、
１０…偏光板固定具、
１１…偏光板、
１２…枠体、
１３…突起、
１４…穴、
２０…支持体、
２１…凹部、
２２…凸部、
２３…ピン、
Ｈ１、Ｈ２…ねじ穴、
Ｎ１、Ｎ２…ねじ。
【図１】
0005144230.tif 000002
【図２】
0005144230.tif 000003
【図３】
0005144230.tif 000004
【図４】
0005144230.tif 000005